(57)【要約】【課題】浸透印又は認印等の印とケースとを一体型として蓋開閉形式とし、簡単な構造によって軽量で安価に提供できるスライダー連動蓋開閉式印ケースを提案する【解決手段】先端２を開放し後端３を閉塞した筒状のケース本体１を設け、このケース本体１の先端開放部に開閉蓋８を開閉可能にヒンジ連結し、該ケース本体１内にスライド可能に筒状の印ホルダー６を設け、この印ホルダー６の上記開放部側に印１０を嵌合して設け、該ケース本体１表面にスライダー５をケース本体１の筒の長手方向にスライド可能に設け、このスライダー５と印ホルダー６とを帯状連結板７によって連結し、この帯状連結板７をケース本体１内の後端側でＵ字状に湾曲させてあり、スライダー５を引くことにより、印ホルダー６を前進させて印ホルダー６に設けた印１０により開閉蓋８を押して開放し、スライダー５を前方に押し進めることにより蓋８を閉じるようにしてある。【選択図】　　　　図５
2004090537.tif 000002
【特許請求の範囲】
【請求項１】
先端を開放し後端を閉塞した筒状のケース本体を設け、このケース本体の先端開放部に開閉蓋を開閉可能にヒンジ連結し、該ケース本体内にスライド可能に筒状の印ホルダーを設け、この印ホルダーの上記開放部側に印を嵌合して設け、該ケース本体表面にスライダーをケース本体の筒の長手方向にスライド可能に設け、このスライダーと印ホルダーとを帯状連結板によって連結し、この帯状連結板をケース本体内の後端側でＵ字状に湾曲させてあり、スライダーを引くことにより、印ホルダーを前進させて印ホルダーに設けた印により開閉蓋を押して開放し、スライダーを前方に押し進めることにより蓋を閉じるようにしてあるスライダー連動蓋開閉式印ケース。
【請求項２】
上記筒状のケース本体をその長手方向に沿って２分割し、それぞれ分割体の内側に上記帯状連結板を案内する案内溝を形成してあり、何れか一方の分割体に連結孔を設け、何れか他方に連結突起を対向して設け、該連結突起を連結孔に嵌合することにより組み立ててある上記請求項１に記載のスライダー連動蓋開閉式印ケース。
【請求項３】
上記印が印液浸透印である上記請求項１又は２に記載のスライダー連動蓋開閉式印ケース。
【請求項４】
上記印が認印である上記請求項１又は２に記載のスライダー連動蓋開閉式印ケース。
【発明の詳細な説明】
【０００１】
【発明の属する技術分野】
この発明は、浸透印又は認印を収容してスライダーのスライド操作に連動して浸透印又は認印を出し入れできるようにしたスライダー連動蓋開閉式印ケースに関する。
【０００２】
【従来の技術】
従来一般の印ケースは、ヒンジ連結してある朱肉付き印ケース本体と開閉蓋とからなり、開閉蓋を開放して印鑑を取り出し、朱肉を付けて印を紙面上に押印するものである。
この従来一般の印ケースは、ケースと印とが分離する形式であるから、何れかを紛失してしまい易いという課題がある。この課題を解決するために、印鑑をケース内に収めて一体化し、印とケースが分離しないようにした印鑑ケースもある。この一体型印ケースは、印鑑を収納した印鑑保持筒体を筒状の印鑑ホルダー本体内にスライド自在に内蔵し、常時は印鑑保持筒体をスプリング弾力によって印鑑ホルダー本体内の上方に弾圧しており、この状態で印鑑ホルダー本体に開閉可能に設けてある開閉蓋を閉じており、この開閉蓋内側に設けた朱肉に印鑑を当接し、印鑑保持筒体をスプリング弾力に抗して押し下げることにより蓋体を開放して印鑑を紙面上に押印することができるようにしたものである。
【０００３】
【発明が解決しようとする課題】
上記印一体型印ケースは、印とケースとが分離することなく、何れかを紛失してしまうということはなく、便利であるが、構造が複雑となり、高コストであるという課題がある。
本発明は、上記課題に鑑み、浸透印又は認印等の印とケースとを一体型として蓋開閉形式とし、簡単な構造によって軽量で安価に提供できるスライダー連動蓋開閉式印ケースを提案するものである。
【０００４】
【課題を解決するための手段】
そのために、本発明スライダー連動蓋開閉式印ケースは、先端を開放し後端を閉塞した筒状のケース本体を設け、このケース本体の先端開放部に開閉蓋を開閉可能にヒンジ連結し、該ケース本体内にスライド可能に筒状の印ホルダーを設け、この印ホルダーの上記開放部側に印を嵌合して設け、該ケース本体表面にスライダーをケース本体の筒の長手方向にスライド可能に設け、このスライダーと印ホルダーとを帯状連結板によって連結し、この帯状連結板をケース本体内の後端側でＵ字状に湾曲させてあり、スライダーを引くことにより、印ホルダーを前進させて印ホルダーに設けた印により開閉蓋を押して開放し、スライダーを前方に押し進めることにより蓋を閉じるようにしてある。即ち、本発明では、印とケースとを一体型として、簡単な構造で軽量なスライダー連動蓋開閉式印ケースを安価に提供できる。
【０００５】
さらに、本発明スライダー連動蓋開閉式印ケースは、上記筒状のケース本体をその長手方向に沿って２分割し、それぞれ分割体の内側に上記帯状連結板を案内する案内溝を形成してあり、何れか一方の分割体に連結孔を設け、何れか他方に連結突起を対向して設け、該連結突起を連結孔に嵌合することにより組み立ててある。即ち、これによって接着剤等使用することなく、組み立て、分割を容易として安価に提供できる。
【０００６】
【発明の実施の形態】
以下図面に示した好ましい実施例により本発明スライダー連動蓋開閉式印ケースの詳細を説明する。図中符号１が筒状のケース本体で、その先端２を開放し、後端３を閉塞してある。この筒状のケース本体１は、その長手方向に沿って縦方向に２分割した一対の分割体１１，１１を合体して構成してある。そのために一方の分割体１１の適宜個所に連結孔１２を設け、他方の分割体１１の上記連結孔１２と対向する位置に連結突起１３を設けて、この連結突起１３を連結孔１２に嵌合することにより、一対の分割体１１，１１を合体し、組み立てるようにしてある。
【０００７】
また、ケース本体１の先端開放部に開閉蓋８を開閉可能にヒンジ連結してある。そのために、図示した実施例ではケース本体１の片側の分割体１１の先端部にヒンジ軸１５を設けてあり、開閉蓋８の上端に後向きに軸受１６を突設し、開閉蓋８をケース本体１の前端にヒンジ連結し、ケース本体１の先端開放部８によって開閉自在としてある。
【０００８】
上記筒状のケース本体１には、その上部に各分割体１１，１１の上縁を僅かに切り欠き１４，１４することによってケース本体１の長手方向に沿うスライド長孔４を形成してあり、このスライド長孔４に沿って前後方向にスライドするスライダー５を設けてある。
一方、ケース本体１内に、このケース本体１内をスライド可能に筒状の印ホルダー６を設けてあり、この印ホルダー６の先端に印１０を嵌合してある。この印ホルダー６と上記スライダー５とを湾曲可能な帯状連結板７によって連結して、この帯状連結板７をケース本体１内の後端側でＵ字状に湾曲させてある。そして、この構成によってスライダー５を後方に引くことにより印ホルダー６を前方に移動して、ケース本体１の前端開放部より印ホルダー６の先端を突出させ、印ホルダー６に設けた印１０により開閉蓋８を押して開放し、スライダー５を前方に押し進めることにより開閉蓋８を閉じるようにしてある。
【０００９】
上記スライダー５の前後動によっての印ホルダー６の前後移動を円滑にするために、ケース本体１の一対の分割体１１，１１のそれぞれに帯状連結体７を案内する案内溝１７，１７を設けてある。
上記印ホルダー６に嵌合させた印１０は印液浸透印であることが望ましいが、認印であってもよい。図１乃至図５には印液浸透印を嵌合した実施例が示してあり、図６には認印を嵌合した実施例が示してある。認印の場合は印を印ホルダー６に嵌合してもよいが、印を嵌合することなく出入自在にしてあってもよい。
【００１０】
上記の通りの構成からなる本発明スライダー連動蓋開閉式ケースでは、そのスライダー５をケース本体１の前端に移動している状態（図１，３図示）では、スライダー５の先端が開閉蓋８の上端を押えて、開閉蓋８の閉状態を確保している。この状態では、印ホルダー６はケース本体１内に保持されている。そこで、スライダー５を後方に引くと印ホルダー６はスライダー５と連結している帯状連結板７によって前方に押し動かされる。この際、印ホルダー６の先端の印が開閉蓋８を押して開放し（図２、４図示）、印面を露出する。
次に、後方にスライドしていたスライダー５を前方に押し進めると印ホルダー６が帯状連結板７によってケース本体１内に引き込まれる。この際、開閉蓋８は自重によって閉じられ、スライダー５を最先端まで押し進めると、スライダー５の先端が開閉蓋８の上端を押えてその閉状態を確保することになる。
【００１１】
【発明の効果】
本発明スライダー連動蓋開閉式印ケースは、先端を開放し後端を閉塞した筒状のケース本体を設け、このケース本体の先端開放部に開閉蓋を開閉可能にヒンジ連結し、該ケース本体内にスライド可能に筒状の印ホルダーを設け、この印ホルダーの上記開放部側に印を嵌合して設け、該ケース本体表面にスライダーをケース本体の筒の長手方向にスライド可能に設け、このスライダーと印ホルダーとを帯状連結板によって連結し、この帯状連結板をケース本体内の後端側でＵ字状に湾曲させてあり、スライダーを引くことにより、印ホルダーを前進させて印ホルダーに設けた印により開閉蓋を押して開放し、スライダーを前方に押し進めることにより蓋を閉じるようにしてあるから、印とケースとを一体型として、簡単な構造で軽量なスライダー連動蓋開閉式印ケースを安価に提供できる効果がある。
【００１２】
さらに、本発明スライダー連動蓋開閉式印ケースは、上記筒状のケース本体をその長手方向に沿って２分割し、それぞれ分割体の内側に上記帯状連結板を案内する案内溝を形成してあり、何れか一方の分割体に連結孔を設け、何れか他方に連結突起を対向して設け、該連結突起を連結孔に嵌合することにより組み立ててあるから、これによって接着剤等使用することなく、組み立て、分割を容易として安価に提供できる効果がある。
【図面の簡単な説明】
【図１】本発明スライダー連動蓋開閉式印ケースの閉蓋状態の斜視図である。
【図２】同じく開蓋状態の斜視図である。
【図３】同じくケース本体の半分を外した閉蓋状態の正面図である。
【図４】同じくケース本体の半分を外した開蓋状態の正面図である。
【図５】印を浸透印とした本発明印ケースの分解斜視図である。
【図６】印を認印とした本発明印ケースの分解斜視図である。
【符号の説明】
１　ケース本体
２　先端
３　後端
４　スライド長孔
５　スライダー
６　印ホルダー
７　帯状連結板
８　開閉蓋
１０　印
１１　分割体
１２　連結孔
１３　連結突起
１４　切り欠き
１５　ヒンジ軸
１６　軸受
１７　案内溝
【図１】
2004090537.tif 000003
【図２】
2004090537.tif 000004
【図３】
2004090537.tif 000005
【図４】
2004090537.tif 000006
【図５】
2004090537.tif 000007
【図６】
2004090537.tif 000008